(57)【特許請求の範囲】
【請求項１】
作用極と対極とを有し、少なくとも作用極を振動させることにより酸化還元電流を検出して検水中の測定対象成分の濃度を検出する振動式酸化還元電流測定装置において、
下方端に作用極を備え、この作用極より上方に対極を備えた電極支持体と、
前記電極支持体を振動可能に保持するホルダーと、
前記電極支持体の振動の支点位置にて前記電極支持体を前記ホルダーに保持する支持部材と、
前記支持部材より下方位置にて、且つ、前記作用極より上方位置にて、前記電極支持体の内部に設置され、前記電極支持体に歳差運動を与える振動モータと、
前記電極支持体を囲包して配置され、内部に研磨ビーズを収容したストレーナと、
を有し、
前記研磨ビーズは、直径０．１〜３ｍｍとされる非金属製のビーズであり、ビーズの表面粗さは、中心線平均粗さＲａで、０．１〜１００μｍであり、
前記振動モータは、振動量が０．５〜２．０Ｇ、回転数が５０００〜１５０００ｒｐｍであり、
前記研磨ビーズは、前記ストレーナ内にて、前記作用極より上方、且つ、前記対極より下方の位置の高さにまで収容され、前記歳差運動中に前記研磨ビーズが前記対極に達しないようになっていることを特徴とする振動式酸化還元電流測定装置。
【請求項２】
前記ホルダーは、概略円筒形状とされ、前記電極支持体の上端は、前記ホルダーの下端に形成された開口部に挿入され、前記電極支持体の上端は、前記支持部材を介して前記ホルダーの下端に形成された開口部に保持されることを特徴とする請求項１の振動式酸化還元電流測定装置。
【請求項３】
前記電極支持体は、下方部が細くされた段状の円筒形状とされ、前記作用極は、前記細くされた下方円筒部に配置されることを特徴とする請求項１又は２の振動式酸化還元電流測定装置。
【請求項４】
前記電極支持体は、前記下方円筒部としての小径部と、前記小径部よりも上方の大径部と、前記大径部と前記小径部とを接続するように傾斜した傾斜遷移部と、を有することを特徴とする請求項３の振動式酸化還元電流測定装置。
【請求項５】
前記支持部材は、Ｏリングであることを特徴とする請求項１〜４のいずれかの項に記載の振動式酸化還元電流測定装置。
【請求項６】
前記ストレーナは、コップ形状とされ、周壁及び底壁に開口部を有し、開口部に網が設けられることを特徴とする請求項１〜５のいずれかの項に記載の振動式酸化還元電流測定装置。
【請求項７】
測定対象成分は、遊離残留塩素、溶存オゾン、溶存二酸化塩素、亜塩素酸イオン、又は過酸化水素であることを特徴とする請求項１〜６のいずれかの項に記載の振動式酸化還元電流測定装置。
【発明の詳細な説明】
【０００１】
【発明の属する技術分野】
本発明は、一般には、作用極と対極とを有し、少なくとも作用極を振動させることにより酸化還元電流を検出して試料液（検水）中の測定対象成分の濃度を検出する、所謂、ポーラログラフ法を利用した酸化還元電流測定装置に関するものであり、特に、連続測定を可能とした採水、投げ込み式の振動式酸化還元電流測定装置に関するものである。
【０００２】
【従来の技術】
従来、例えば検水中の遊離残留塩素濃度を検出するために、所謂、ポーラログラフ法を用いて、遊離残留塩素などの測定対象成分の酸化還元電流を測定することが行われている。
【０００３】
斯かる酸化還元電流測定は、例えばプール水や水道水（上水）中の遊離残留塩素濃度測定に利用される。その他、同様の酸化還元電流測定は、検水中の溶存オゾン濃度測定、溶存二酸化塩素濃度測定、亜塩素酸（ＨＣｌＯ2）イオン濃度測定、過酸化水素濃度測定のために利用することができる。
【０００４】
このように検水中の測定対象成分をポーラログラフ法にて測定するためには、検水と、作用極及び対極との間に相対速度を与えることで、作用極表面に活物質を常に供給することを可能とし、安定な検出電流を得る。
【０００５】
そこで、例えば遊離残留塩素の濃度検出のために、作用極及び対極を振動させて検水との相対速度を得るようにした酸化還元電流測定装置が種々提案されている。その一例を図６に示す。
【０００６】
本例の酸化還元電流測定装置１Ａは、大径穴１０１及び小径穴１０２を備えた円筒状の電極ボディ１００を有する。細長形状の電極支持体１０３が電極ボディ１００の内側に配置される。つまり、電極支持体１０３は、その上方部分がＯリング１０４を介して電極ボディ１００の小径穴１０２の内側に取り付けられ、電極ボディ１００内へと延在し、電極支持体１０３の下方部分は、電極ボディ１００の小径穴１０２から更に下方へと電極ボディ１００の外方に延在している。
【０００７】
電極ボディ１００の小径穴１０２から下方へと延在した電極支持体１０３の下方部分の先端部には、作用極（Ｐｔ）１０５が配置され、その上方部分に対極（Ａｇ・ＡｇＣｌ）１０６が設けられている。一方、電極支持体１０３の上方部分の上端部は、電極ボディ１００内の大径穴１０１内に位置しており、振動用モータ１０７が取り付けられている。
【０００８】
斯かる構成の酸化還元電流測定装置１Ａは、モータ１０７を駆動することにより、モータ１０７の振動がＯリング１０４を支点として電極支持体１０３を振動（歳差運動）させる。それによって、作用極１０５と対極１０６が振動し、極面上で流速が発生し、測定が可能となる。
【０００９】
しかしながら、上記酸化還元電流測定装置１Ａの構成では、作用極１０５及び対極１０６の振動が大きく、そのために作用極１０５で発生する電流値が大きくなり、電流値のハンチングが発生し、これにより電流値の安定性が低下し、測定値に誤差が生じてしまう。又、一定流速の測定時においても、作用極１０５と対極１０６が同じ振動効率で振動しているために、電流値のふらつきが生じ測定値の安定性が低下する。
【００１０】
本発明者は、上記酸化還元電流測定装置が有する上述のような問題を解決するべく多くの研究実験を行った結果、次のことが分かった。
【００１１】
つまり、
（１）作用極と対極の振動が大きい場合には、作用極表面における活物質の供給速度と反応生成物の拡散速度が振動の影響で絶えず変化し、作用極上での活物質の供給と反応生成物の拡散が不均一となり、発生する電流値にハンチングが発生するために、電流値の安定性が低下し測定値に誤差が生じてしまう。又、
（２）対極では、作用極で行われる還元反応を受けて酸化反応が行われるが、対極が必要以上に振動することで意図しない反応が対極上で進行して、電流値が不安定となり測定誤差の原因となる。
（３）検水の流速が変化すると作用極上での活物質の供給速度と反応生成物の拡散速度が変化し、得られる電流値が変化してしまう。従って、ポーラログラフ法を用いた測定では、検水の流速の影響を受ける。プール水のような流速のある検水の測定においては、検水の流速が変化することで測定値に誤差を生じる。
ことを見出した。
【００１２】
そこで、本発明者は、特開２０００−２９８１１０号公報に記載される酸化還元電流測定装置を提案した。その概略構成を図７に示す。
【００１３】
本例にて、酸化還元電流測定装置１Ｂは、電極本体１０１を備え、電極本体１０１の下方端に一体に電極支持体１０３が取り付けられている。電極支持体１０３は、作用極１０５と対極１０６とを有し、作用極１０５及び対極１０６を振動させることにより酸化還元電流を検出して検水中の測定対象成分の濃度を検出する。
【００１４】
特に、この酸化還元電流測定装置１Ｂは、電極支持体１０３を囲包して採水用の容器１１０を有し、容器蓋１１１に電極本体１０１を保持する、弾性材にて作製された電極固定用部材１１２が設けられている。
【００１５】
従って、酸化還元電流測定装置１Ｂは、振動の力点である振動用モータ１０７の取り付け位置が振動の支点である電極固定用部材１１２よりも下方に位置し、更に、振動の作用点である作用極１０５と対極１０６の位置が振動の力点である振動用モータ１０７よりも下方に位置している。
【００１６】
特開２０００−２９８１１０号公報に記載の酸化還元電流測定装置１Ｂは、測定時の電流のハンチングの発生を防止し、電流値の安定性を向上させ、測定値の誤差を最小限とすることができる、といった利点を有している。
【００１７】
このように、上記特開２０００−２９８１１０号公報に記載の酸化還元電流測定装置１Ｂは、容器１１０内に検水Ｓを汲み取り、電極本体１０１を容器蓋１１１に電極固定用部材１１２を介して取り付ける構成とされ、それによって、周囲から検水Ｓと電極本体１０１とを遮断することが可能となり、検水Ｓの流速の影響を受けずに安定した測定が可能とされる。
【００１８】
【発明が解決しようとする課題】
しかしながら、斯かる構成の酸化還元電流測定装置１Ｂは、所謂、採水型の測定装置であり、プールや池などに電極を直接投げ込んでの連続測定は不可能である。
【００１９】
又、定置型の連続酸化還元電流測定装置は、測定にはフローセル部が必要であり、プールや池などに電極を直接投げ込んでの測定は不可能であるか、或いは、極めて複雑な構成とならざるを得ず、高価となる。
【００２０】
従って、現在、振動式酸化還元電流測定装置で投げ込み測定を可能とするものはない。
【００２１】
更に、現在使用されている採水、投げ込み式の酸化還元電流測定装置では、測定を行うに従い、作用極に汚れなどが付着し、感度低下による指示値の変化が生じ、本発明者が知る限りにおいては、連続測定を可能とするものはない。
【００２２】
従って、本発明の目的は、一般には、測定時の電流のハンチングの発生を防止し、電流値の安定性を向上させ、測定値の誤差を最小限とすることができ、特に、サンプル（検水）中で作用極と対極の振動（歳差運動）させることができ、連続的な採水、投げ込み測定を可能とする振動式酸化還元電流測定装置を提供することである。
【００２３】
本発明の他の目的は、研磨ビーズ中での電極の振動（歳差運動）により、作用極の洗浄、研磨が可能であり、作用極の汚れなどによる感度低下を防止し、感度低下のない安定した連続測定を可能とした振動式酸化還元電流測定装置を提供することである。
【００２４】
本発明の他の目的は、プールや池などの投げ込み測定において、浸漬水深を任意に変化させることができ、測定したいポイントでの連続測定が可能な、小型で、低価格の振動式酸化還元電流測定装置を提供することである。
【００２５】
【課題を解決するための手段】
上記目的は本発明に係る酸化還元電流測定装置にて達成される。要約すれば、本発明は、作用極と対極とを有し、少なくとも作用極を振動させることにより酸化還元電流を検出して検水中の測定対象成分の濃度を検出する振動式酸化還元電流測定装置において、
下方端に作用極を備え、この作用極より上方に対極を備えた電極支持体と、
前記電極支持体を振動可能に保持するホルダーと、
前記電極支持体の振動の支点位置にて前記電極支持体を前記ホルダーに保持する支持部材と、
前記支持部材より下方位置にて、且つ、前記作用極より上方位置にて、前記電極支持体の内部に設置され、前記電極支持体に歳差運動を与える振動モータと、
前記電極支持体を囲包して配置され、内部に研磨ビーズを収容したストレーナと、
を有し、
前記研磨ビーズは、直径０．１〜３ｍｍとされる非金属製のビーズであり、ビーズの表面粗さは、中心線平均粗さＲａで、０．１〜１００μｍであり、
前記振動モータは、振動量が０．５〜２．０Ｇ、回転数が５０００〜１５０００ｒｐｍであり、
前記研磨ビーズは、前記ストレーナ内にて、前記作用極より上方、且つ、前記対極より下方の位置の高さにまで収容され、前記歳差運動中に前記研磨ビーズが前記対極に達しないようになっていることを特徴とする振動式酸化還元電流測定装置である。
【００２６】
本発明の一実施態様によると、前記ホルダーは、概略円筒形状とされ、前記電極支持体の上端は、前記ホルダーの下端に形成された開口部に挿入され、前記電極支持体の上端は、前記支持部材を介して前記ホルダーの下端に形成された開口部に保持される。
【００２７】
本発明の他の実施態様によると、前記電極支持体は、下方部が細くされた段状の円筒形状とされ、前記作用極は、前記細くされた下方円筒部に配置される。本発明の一実施例では、前記電極支持体は、前記下方円筒部としての小径部と、前記小径部よりも上方の大径部と、前記大径部と前記小径部とを接続するように傾斜した傾斜遷移部と、を有する。
【００２８】
本発明の他の実施態様によると、前記支持部材は、Ｏリングである。
【００２９】
本発明の他の実施態様によると、前記ストレーナは、コップ形状とされ、周壁及び底壁に開口部を有し、開口部に網が設けられる。
【００３２】
本発明の振動式酸化還元電流測定装置における測定対象成分は、遊離残留塩素、溶存オゾン、溶存二酸化塩素、亜塩素酸イオン、又は過酸化水素とすることができる。
【００３３】
【発明の実施の形態】
以下、本発明に係る振動式酸化還元電流測定装置を図面に則して更に詳しく説明する。
【００３４】
図１に本発明の振動式酸化還元電流測定装置の一実施例を示す。本実施例にて、振動式酸化還元電流測定装置１は、概略円筒形状とされ上端が閉鎖し、下端が開口したホルダー２と、軸線に沿って形成され上端が開口し、下端が閉鎖した中心穴８を備えた電極支持体３とを有する。電極支持体３は、その上端が支持部材４を介して振動可能にホルダー２の下端開口部１１に保持される。
【００３５】
更に説明すると、本実施例にて、ホルダー２は、上部ホルダー２ａと下部ホルダー２ｂとを有し、上部ホルダー２ａの下端開口部内周面に形成された雌ねじ部５と、下部ホルダー２ｂの上端外周面に形成された雄ねじ部６とが螺合することにより上部ホルダー２ａと下部ホルダー２ｂとが一体的に接続されている。又、本実施例では、この接続部を利用して、即ち、上部ホルダー２ａと下部ホルダー２ｂの接合端縁にて挟持して配線用プリント基板７がホルダー２内に設置されている。
【００３６】
又、上部ホルダー２ａの上端閉鎖部には、ゴムブッシング９を介して電極ケーブル１０が取り付けられており、ケーブル１０の一端は配線用プリント基板７に接続され、ケーブル１０の他端は外部へと延在して測定装置本体（図示せず）の電源回路、測定回路などに接続されている。
【００３７】
又、電極支持体３は、本実施例では、上部支持体３ａと下部支持体３ｂとを有し、両支持体３ａ、３ｂを一体的に螺合接続することにより構成される。即ち、上部支持体３ａと下部支持体３ｂは、上部支持体３ａの下方端開口部内周面に形成された雌ねじ部１２と、下部支持体３ｂの外周面に形成された雄ねじ部１３とが螺合することにより上部支持体３ａと下部支持体３ｂとは一体的に接続される。電極支持体３の中心穴８は、上部支持体３ａを貫通し、下部支持体３ｂの軸線方向に沿って下方へと延在し、下部支持体３ｂの下端部にて閉鎖されている。
【００３８】
上部支持体３ａの上端部は、下部ホルダー２ｂの下端に形成された開口部１１に挿入される。このとき、上部支持体３ａの外周にはＯリング溝１４が形成され、このＯリング溝１４に配置された支持部材としてのＯリング４により上部支持体３ａ（即ち、電極支持体３）は、下部ホルダー２ｂ（即ち、ホルダー２）に対して振動（歳差運動）可能に保持される。又、Ｏリング４は、ホルダー２と電極支持体３との接続部からホルダー２内へと検水が侵入するのを防止する。
【００３９】
電極支持体３の下部支持体３ｂは、本実施例では、上部支持体３ａに接続された大径部１５と、外径がより小さくされた小径部１６と、大径部１５と小径部１６とを接続する傾斜遷移部１７と、にて形成される。従って、下部支持体３ｂの内部には、下方端が閉鎖された中心穴８によって段状の空間が形成されている。
【００４０】
大径部１５の外周には、対極２１が配置され、小径部１６には作用極２０が設けられる。これら作用極２０及び対極２１は、その少なくとも一部は、電極支持体３の外表面に露出し、検水に接触するように構成される。本実施例では、振動式酸化還元電流測定装置１は、遊離残留塩素測定装置とされたので、作用極２０としては金又は白金とされ、対極２１は、銀又は銀・塩化銀を使用した。
【００４１】
本実施例で、作用極２０はロッド形状のものを小径部に圧入して取り付けた。所望によっては、接着或いは注型により取り付けることもできる。一方、対極２１は、線状電極部材を大径部１５の外周面に螺旋状に巻き付けることにより設けた。
【００４２】
作用極２０及び対極２１には、それぞれリード線２２、２３の一端が接続され、リード線２２、２３の他端は、中心穴８内を通って、上記配線用プリント基板７に接続される。
【００４３】
作用極２０と対極２１との間には、電源回路（図示せず）から所定の電圧が印加され、その時の電流値を電流計にて測定することにより、検水中の測定対象成分の濃度が求められる。尚、本実施例によると、電極支持体３の中心穴８内には、サーミスタや白金測温体のような温度測定素子２４が配置され、リード線２５により上記配線用プリント基板７に接続され、そして、ケーブル１０を介して測定装置本体に接続されている。
【００４４】
本発明によれば、電極支持体３の中心穴８内には、本実施例では、電極支持体３の下部支持体段状空間に位置して振動モータ２６が配置される。本実施例では、振動モータ２６の振動量は０．５〜２Ｇ、回転数は、５０００〜１５０００ｒｐｍとした。又、振動モータ２６としては、フジマイクロ株式会社製のＦＭ−１０９Ｋ１（商品名）を好適に使用することができる。
【００４５】
本発明の一つの特徴とするところは、電極支持体３をホルダー２に取り付けているＯリング４が電極支持体３の振動の支点とされ、電極支持体３の力点である振動モータ２６は、その位置が、即ち、モータ重心位置が、振動の支点よりＨ１＝１０〜４０ｍｍ（本実施例ではＨ１＝２５ｍｍ）下方に設定され、更に、電極支持体３の作用点である作用極２０が、振動モータ２６の重心位置（力点）より更にＨ２＝１０〜６０ｍｍ（本実施例ではＨ２＝２０ｍｍ）下方に配置されていることである。本実施例で、巻き線とされる対極２１の中心位置は、振動モータ２６の重心位置（力点）よりＨ３＝５〜６０ｍｍ（本実施例ではＨ３＝７ｍｍ）だけ下方に配置された。
【００４６】
尚、本実施例における電極支持体３の具体的寸法の一例を示せば次の通りであった。
【００４７】
電極支持体３の材質：ＡＢＳ樹脂
上部支持体３ａ及び下部支持体３ｂの外径ｄ１：    １４ｍｍ
下部支持体３ｂの小径部１６の外径ｄ２：            ８ｍｍ
上部支持体３ａの支点からの長さｈ０：            ２０ｍｍ
下部支持体３ｂの大径部１５の垂直方向長さｈ１：  １５ｍｍ
下部支持体３ｂの遷移部１７の垂直方向長さｈ２：    ４ｍｍ
下部支持体３ｂの小径部１６の垂直方向長さｈ３：    ７ｍｍ
【００４８】
斯かる構成とすることによって、本発明の振動式酸化還元電流測定装置１は、電極支持体３の作用点である作用極２０、更には対極２１の振動が制限され、これによって、作用極２０と対極２１を必要以上に振動することがなく、結果として検水中の測定対象成分の濃度を測定する際に発生する電流値が必要以上に大きくなるのを抑えることができる。従って、本発明の酸化還元電流測定装置では、電流値のハンチングが発生することがなくなり測定精度を上げることができる。
【００４９】
これに対して、図６に示す酸化還元電流測定装置１Ａの構成では、上述したように、作用極１０５と対極１０６を同じ電極支持体１０３上に固定した場合に、作用極１０５と対極１０６の振動効率が同じとなり、濃度測定の際に発生する電流値のふらつき現象が確認された。
【００５０】
本発明によれば、振動式酸化還元電流測定装置１は、更に、電極支持体３を囲包してストレーナ３０を有している。
【００５１】
本実施例によれば、ストレーナ３０は、金属製とすることもできるが、軽量、低コスト、などの点からプラスチックにて形成するのが好ましく、通常、ポリエチレンなどで作製される。
【００５２】
図２をも参照するとより良く理解されるように、ストレーナ３０は、周壁及び底壁を有し、上端が開口したコップ形状とされるストレーナ本体３１を有する。ストレーナ本体３１の上端周縁部には取り付けフランジ３２が形成され、ストレーナ３０は、この取り付けフランジ３２を介してホルダー２に取り付けられる。
【００５３】
本実施例では、下部ホルダー２ｂの下端外周面に形成された雄ねじ２７を利用してリング状のアダプタ４０を取り付け、アダプタ４０にはその外周に形成されて雄ねじ部４１に止めリング４２が螺合されている。従って、ストレーナ３０は、このアダプタ４０の下面に取り付けフランジ３２を当接することにより、止めナット４２にて取り付けられる。
【００５４】
ストレーナ本体３１の周壁及び底壁には、多数の開口部３３が形成され、開口部３３には網３４が、接着、溶着などにより取り付けられる。更に、ストレーナ本体３１の内部には、研磨ビーズ５０が収納されている。
【００５５】
ストレーナ３０の網３４は、収納した研磨ビーズ５０をストレーナ内に保持するためのものであり、従って、網目の大きさは、研磨ビーズ５０の直径以下であればよい。網の材質は、ポリアミド樹脂（ナイロン）などのプラスチック網とすることができ、又、ＳＵＳ網などの金属製とすることもできる。
【００５６】
研磨ビーズ５０としては、直径０．１〜３ｍｍとされる非金属製のビーズであれば任意のものを使用し得るが、本実施例では、直径１ｍｍのアルミナビーズを使用した。ビーズの表面粗さは、中心線平均粗さ（Ｒａ）で、０．１〜１００μｍ、好ましくは、０．５〜５０μｍである。
【００５７】
又、研磨ビーズ５０は、図３（Ａ）に示すように、ストレーナ３０内にて作用極２０が隠れる程度でよく、下部支持体３ｂの遷移部１７位置程度までの量が適当であり、図３（Ｂ）に示すように、遷移部１７を越えて大径部１５まで収容し、対極２１に達するのは多すぎる。又、図３（Ｃ）に示すように、作用極２０にまで達しないのは少なすぎて好ましくない。
【００５８】
次に、上記構成の本発明の振動式酸化還元電流測定装置１の作動について説明する。
【００５９】
本発明の振動式酸化還元電流測定装置１にて、例えば、プールの残留塩素濃度を測定する場合には、先ず、研磨ビーズ５０を収容したストレーナ３０を振動式酸化還元電流測定装置１に装着する。次いで、この振動式酸化還元電流測定装置１を、プールの所望される測定箇所へと投げ込む。検水がストレーナ３０の開口部３３から網３４を流動してストレーナ内部へと流入し、又、網３４及び開口部３３を介して流出する。
【００６０】
この状態で、振動モータ２６を作動させる。これにより、振動モータ２６が組み込まれた電極支持体３は、Ｏリング４を支点として振動（歳差運動）を開始する。
【００６１】
電極支持体３は安定した振動（歳差運動）を行うことが必要であり、上述のように、振動量０．５〜２．０Ｇ、回転数５０００〜１５０００ｒｐｍの一定の回転数で振動（歳差運動）することが好ましい。これにより、作用極２０は円運動を行いながら、検水の残留塩素濃度を測定する。
【００６２】
電極支持体３が振動（歳差運動）することにより、ストレーナ３０内の検水の撹拌が起こり、ストレーナ３０内における研磨ビーズ５０中の検水の交換が促進される。
【００６３】
更に、電極支持体３が振動（歳差運動）することにより、ストレーナ３０内の研磨ビーズ５０により作用極２０のみが研磨され、又洗浄される。
【００６４】
このように、本発明によれば、研磨ビーズ５０の入ったストレーナ３０を電極支持体３の周りに装着し、研磨ビーズ５０の中で少なくとも作用極２０を振動（歳差運動）させることで、プールや池などへの投げ込み測定、或いは、ビーカやバケツなどの採水測定において、安定した、即ち、感度低下の少ない、連続測定が可能となる。
【００６５】
又、上述のように、研磨ビーズ５０中で作用極２０が振動（歳差運動）することで、作用極２０の洗浄、研磨が可能となり、作用極２０を常に一定の状態に保つことができるため、安定した連続測定が可能であり、同時に電極のメンテナンスを少なくすることができる。
【００６６】
更に、プールや池などへの投げ込み測定においては、浸漬水深を任意に変化させることで、測定したいポイントでの連続測定も可能である。
【００６７】
本発明の振動式酸化還元電流測定装置は、上記したプール水、水道水（上水）中などの遊離残留塩素濃度測定に限定されるものではなく、その他に、
（１）水道水（上水）、半導体製造プロセス（ＩＣチップの洗浄など）の洗浄水中などの溶存オゾン濃度測定。
（２）プール水、食料品（カット野菜など）の洗浄水若しくは漂白剤中などの溶存二酸化塩素（ＣｌＯ2）濃度測定。
（３）プール水中などの亜塩素酸（ＨＣｌＯ2）イオン濃度測定。
（４）パルプ、繊維の漂白、半導体の洗浄、廃水処理、食品、容器の殺菌などにおける過酸化水素の濃度測定。
などのために利用することができる。作用極２０及び対極２１の材料、及び対極２１を基準として作用極２０に印加する電圧は、上記各目的のために適宜選択することができ、表１に示す通りである。
【００６８】
【表１】
0003929753.tif 000002
【００６９】
本実施例に従った振動式酸化還元電流測定装置の作用効果をみるために実験を行った。図４に本発明の振動式酸化還元電流測定装置を使用した場合の測定結果を示し、図５には、研磨ビーズ５０を使用しなかった場合の測定結果を示す。図４及び図５から、本発明の振動式還元電流測定装置によれば、安定して連続測定が可能であることが分かる。
【００７０】
この実験例では、上記実施例にて説明した図１に示す構成の装置を用いて行った。
【００７１】
本実験例では、作用極２０を金（Ａｕ）電極、対極２１を銀（Ａｇ）電極とし、測定時に対極２０を基準として作用極に対し−１００ｍＶの電圧を印加した。
【００７２】
上記構成の装置を、水道水をオーバーフローさせた容器に浸して遊離残留塩素の連続測定を行った。液温１７〜２０℃であった。又、使用した研磨ビーズは、直径１ｍｍのアルミナビーズ（Ｒａ＝１０μｍ）であった。
【００７３】
尚、本発明者の更なる検討によると、溶存オゾン、溶存二酸化塩素、亜塩素酸イオン、過酸化水素の濃度測定においても、それぞれ実施例１にて記載した極構成及び表１の印加電圧条件の下に、各測定対象成分に対して検出電流値の範囲は異なるが、同様の実験を行ったが、上述したと同様の効果を得ることができた。
【００７４】
【発明の効果】
以上説明したように、本発明によれば、
（１）測定時の電流のハンチングの発生を防止し、電流値の安定性を向上させ、測定値の誤差を最小限とすることができ、特に、サンプル（検水）中で作用極と対極の振動（歳差運動）させることができ、連続的な採水、投げ込み測定ができる。
（２）研磨ビーズ中での電極の振動（歳差運動）により、作用極の洗浄、研磨が可能であり、作用極の汚れなどによる感度低下を防止し、感度低下のない安定した連続測定ができる。
（３）プールや池などの投げ込み測定において、浸漬水深を任意に変化させることができ、測定したいポイントでの連続測定ができ、しかも、小型で、低価格である。といった効果を奏し得る。
【図面の簡単な説明】
【図１】本発明に係る振動式酸化還元電流測定装置の一実施例の概略構成を示す断面図である。
【図２】ストレーナの一実施例を示す斜視図である。
【図３】ストレーナ内における研磨ビーズの量と作用極との関係を説明する図である。
【図４】本発明に係る酸化還元電流測定装置にて研磨ビーズを使用した場合の効果を示すグラフである。
【図５】本発明に係る酸化還元電流測定装置にて研磨ビーズを使用しなかった場合の効果を示すグラフである。
【図６】従来の酸化還元電流測定装置の概略構成を示す断面図である。
【図７】従来の酸化還元電流測定装置の概略構成を示す断面図である。
【符号の説明】
１                    酸化還元電流測定装置
２                    ホルダー
３                    電極支持体
３ａ                  上部支持体
３ｂ                  下部支持体
４                    支持部材（Ｏリング）
２０                  作用極
２１                  対極
２６                  振動モータ
３０                  ストレーナ
３３                  開口部
３４                  網
【図１】
0003929753.tif 000003
【図２】
0003929753.tif 000004
【図３】
0003929753.tif 000005
【図４】
0003929753.tif 000006
【図５】
0003929753.tif 000007
【図６】
0003929753.tif 000008
【図７】
0003929753.tif 000009